(57)【要約】【課題】波長スイッチング光ネットワークにおいて、双方向パスにおける光信号品質を満たす好適な光波長を導出する。【解決手段】双方向パスとして使用可能な複数の候補波長のうち、各ノードおよび各リンクの代表的な波長における光信号対雑音比の劣化量から、上りおよび下りパスにおけるエンドエンドの光信号対雑音比を各々算出し、算出した上りおよび下りパスにおける光信号対雑音比を所定の閾値と比較して、比較結果から上りおよび下りパスにおける光信号対雑音比が所定の閾値よりも高く、かつ未使用の代表的な波長を含む複数の波長からなる光信号波長及び経路を導出する。【選択図】図３
2013016951.tif 000002
【特許請求の範囲】
【請求項１】
複数のノードと該複数のノード間を接続する複数のリンクとからなる光ネットワークにおいて、前記複数のリンクから構成される上りパスおよび下りパスにおける望ましい光の波長を導出する光ネットワーク経路制御装置であって、
前記上りパスとして使用可能な複数の候補波長のうち、数１により、各ノードおよび各リンクを光信号が通過することによって生じる代表的な波長における光信号対雑音比の劣化量から、前記上りパスにおけるエンドエンドの光信号対雑音比（推定値）を算出する第１の算出手段と、
該算出した上りパスにおける光信号対雑音比を所定の閾値と比較する第１の比較手段と、
前記第１の比較手段の比較結果から前記上りパスにおける光信号対雑音比が前記所定の閾値よりも高く、かつ未使用の前記代表的な波長を含む複数の使用可能波長及び経路を導出する第１の導出手段と、
前記下りパスとして使用可能な複数の候補波長のうち、数２により、各ノードおよび各リンクを光信号が通過することによって生じる代表的な波長における光信号対雑音比の劣化量から、前記下りパスにおけるエンドエンドの光信号対雑音比（推定値）を算出する第２の算出手段と、
該算出した下りパスにおける光信号対雑音比を所定の閾値と比較する第２の比較手段と、前記第２の比較手段の比較結果から前記下りパスにおける光信号対雑音比が前記所定の閾値よりも高く、かつ未使用の前記代表的な波長を含む複数の使用可能波長及び経路を導出する第２の導出手段と、
を備えたことを特徴とする光ネットワーク経路制御装置。
【数１】
2013016951.tif 000017
【数２】
2013016951.tif 000018
【請求項２】
前記第１の導出手段の導出結果と前記第２の導出手段の導出結果とから数３を用いて、前記上りパスおよび下りパスにおいて、使用可能な共通の波長を抽出する抽出手段を備えたことを特徴とする請求項１に記載の光ネットワーク経路制御装置。
【数３】
2013016951.tif 000019
【請求項３】
複数のノードと該複数のノード間を接続する複数のリンクとからなる光ネットワークにおいて、前記複数のリンクから構成される上りパスおよび下りパスにおける望ましい光の波長を導出する光ネットワーク経路制御装置であって、
前記上りパスとして使用可能な複数の候補波長のうち、数４により、各ノードおよび各リンクを光信号が通過することによって生じる個別の候補波長における光信号対雑音比の劣化量から、個別の候補波長を使用した前記上りパスにおける光信号対雑音比を複数の候補波長分算出する第１の算出手段と、
複数の候補波長について算出した複数の上りパスにおける各々の光信号対雑音比を所定の閾値と比較する第１の比較手段と、
前記第１の比較手段の比較結果から複数の前記上りパスにおける各々の光信号対雑音比が所定の閾値よりも高く、かつ未使用である複数の候補波長及び経路を導出する第１の導出手段と、
前記下りパスとして使用可能な複数の候補波長のうち、数５により、各ノードおよび各リンクを光信号が通過することによって生じる個別の候補波長における光信号対雑音比の劣化量から、個別の候補波長を使用した前記下りパスにおける光信号対雑音比を複数の候補波長分算出する第２の算出手段と、
複数の候補波長について算出した複数の下りパスにおける各々の光信号対雑音比を所定の閾値と比較する第２の比較手段と、
前記第２の比較手段の比較結果から複数の前記下りパスにおける各々の光信号対雑音比が所定の閾値よりも高く、かつ未使用である複数の候補波長及び経路を導出する第２の導出手段と、
を備えたことを特徴とする光ネットワーク経路制御装置。
【数４】
2013016951.tif 000020
【数５】
2013016951.tif 000021
【請求項４】
前記第１の導出手段の導出結果と前記第２の導出手段の導出結果とから数６を用いて、前記上りパスおよび下りパスにおいて、使用可能な共通の波長を抽出する抽出手段を備えたことを特徴とする請求項３に記載の光ネットワーク経路制御装置。
【数６】
2013016951.tif 000022
【請求項５】
複数のノードと該複数のノード間を接続する複数のリンクとからなる光ネットワークにおいて、前記複数のリンクから構成される上りパスおよび下りパスにおける望ましい光の波長を導出する光ネットワーク経路制御装置を用いた光ネットワーク経路制御方法であって、
前記上りパスとして使用可能な複数の候補波長のうち、数７により、各ノードおよび各リンクを光信号が通過することによって生じる代表的な波長における光信号対雑音比の劣化量から、前記上りパスにおけるエンドエンドの光信号対雑音比（推定値）を算出する第１のステップと、
該算出した上りパスにおける光信号対雑音比を所定の閾値と比較する第２のステップと、
前記第２のステップの比較結果から上りパスにおける光信号対雑音比が所定の閾値よりも高く、かつ未使用の代表的な波長を含む複数の使用可能波長及び経路を導出する第３のステップと、
前記下りパスとして使用可能な複数の候補波長のうち、数８により、各ノードおよび各リンクを光信号が通過することによって生じる代表的な波長における光信号対雑音比の劣化量から、前記下りパスにおけるエンドエンドの光信号対雑音比（推定値）を算出する第４のステップと、
該算出した下りパスにおける光信号対雑音比を所定の閾値と比較する第５のステップと、
前記第５のステップの比較結果から前記下りパスにおける光信号対雑音比が前記所定の閾値よりも高く、かつ未使用の前記代表的な波長を含む複数の使用可能波長及び経路を導出する第６のステップと、
を備えたことを特徴とする光ネットワーク経路制御方法。
【数７】
2013016951.tif 000023
【数８】
2013016951.tif 000024
【請求項６】
複数のノードと該複数のノード間を接続する複数のリンクとからなる光ネットワークにおいて、前記複数のリンクから構成される上りパスおよび下りパスにおける望ましい光の波長を導出する光ネットワーク経路制御装置を用いた光ネットワーク経路制御方法であって、
前記上りパスとして使用可能な複数の候補波長のうち、数９により、各ノードおよび各リンクを光信号が通過することによって生じる代表的な波長における光信号対雑音比の劣化量から、前記上りパスにおけるエンドエンドの光信号対雑音比（推定値）を算出する第１のステップと、
該算出した上りパスにおける光信号対雑音比を所定の閾値と比較する第２のステップと、
前記第２のステップの比較結果から上りパスにおける光信号対雑音比が所定の閾値よりも高く、かつ未使用の代表的な波長を含む複数の使用可能波長及び経路を導出する第３のステップと、
前記下りパスとして使用可能な複数の候補波長のうち、数１０により、各ノードおよび各リンクを光信号が通過することによって生じる代表的な波長における光信号対雑音比の劣化量から、前記下りパスにおけるエンドエンドの光信号対雑音比（推定値）を算出する第４のステップと、
該算出した下りパスにおける光信号対雑音比を所定の閾値と比較する第５のステップと、
前記第５のステップの比較結果から前記下りパスにおける光信号対雑音比が前記所定の閾値よりも高く、かつ未使用の前記代表的な波長を含む複数の使用可能波長及び経路を導出する第６のステップと、
前記第３のステップの導出結果と前記第６のステップの導出結果とから数１１を用いて、前記上りパスおよび下りパスにおいて、使用可能な共通の波長を抽出する第７のステップと、
を備えたことを特徴とする光ネットワーク経路制御方法。
【数９】
2013016951.tif 000025
【数１０】
2013016951.tif 000026
【数１１】
2013016951.tif 000027
【請求項７】
複数のノードと該複数のノード間を接続する複数のリンクとからなる光ネットワークにおいて、前記複数のリンクから構成される上りパスおよび下りパスにおける望ましい光の波長を導出する光ネットワーク経路制御装置を用いた光ネットワーク経路制御方法であって、
前記上りパスとして使用可能な複数の候補波長のうち、数１２により、各ノードおよび各リンクを光信号が通過することによって生じる個別の候補波長における光信号対雑音比の劣化量から、個別の候補波長を使用した前記上りパスにおける光信号対雑音比を複数の候補波長分算出する第１のステップと、
複数の候補波長について算出した複数の上りパスにおける各々の光信号対雑音比を所定の閾値と比較する第２のステップと、
前記第２のステップの比較結果から複数の前記上りパスにおける各々の光信号対雑音比が所定の閾値よりも高く、かつ未使用である複数の候補波長及び経路を導出する第３のステップと、
前記下りパスとして使用可能な複数の候補波長のうち、数１３により、各ノードおよび各リンクを光信号が通過することによって生じる個別の候補波長における光信号対雑音比の劣化量から、個別の候補波長を使用した前記下りパスにおける光信号対雑音比を複数の候補波長分算出する第４のステップと、
複数の候補波長について算出した複数の下りパスにおける各々の光信号対雑音比を所定の閾値と比較する第５のステップと、
前記第５のステップの比較結果から複数の前記下りパスにおける各々の光信号対雑音比が所定の閾値よりも高く、かつ未使用である複数の候補波長及び経路を導出する第６のステップと、
を備えたことを特徴とする光ネットワーク経路制御方法。
【数１２】
2013016951.tif 000028
【数１３】
2013016951.tif 000029
【請求項８】
複数のノードと該複数のノード間を接続する複数のリンクとからなる光ネットワークにおいて、前記複数のリンクから構成される上りパスおよび下りパスにおける望ましい光の波長を導出する光ネットワーク経路制御装置を用いた光ネットワーク経路制御方法であって、
前記上りパスとして使用可能な複数の候補波長のうち、数１４により、各ノードおよび各リンクを光信号が通過することによって生じる個別の候補波長における光信号対雑音比の劣化量から、個別の候補波長を使用した前記上りパスにおける光信号対雑音比を複数の候補波長分算出する第１のステップと、
複数の候補波長について算出した複数の上りパスにおける各々の光信号対雑音比を所定の閾値と比較する第２のステップと、
前記第２のステップの比較結果から複数の前記上りパスにおける各々の光信号対雑音比が所定の閾値よりも高く、かつ未使用である複数の候補波長及び経路を導出する第３のステップと、
前記下りパスとして使用可能な複数の候補波長のうち、数１５により、各ノードおよび各リンクを光信号が通過することによって生じる個別の候補波長における光信号対雑音比の劣化量から、個別の候補波長を使用した前記下りパスにおける光信号対雑音比を複数の候補波長分算出する第４のステップと、
複数の候補波長について算出した複数の下りパスにおける各々の光信号対雑音比を所定の閾値と比較する第５のステップと、
前記第５のステップの比較結果から複数の前記下りパスにおける各々の光信号対雑音比が所定の閾値よりも高く、かつ未使用である複数の候補波長及び経路を導出する第６のステップと、
前記第３のステップの導出結果と前記第６のステップの導出結果とから数１６を用いて、前記上りパスおよび下りパスにおいて、使用可能な共通の波長を抽出する第７のステップと、
を備えたことを特徴とする光ネットワーク経路制御方法。
【数１４】
2013016951.tif 000030
【数１５】
2013016951.tif 000031
【数１６】
2013016951.tif 000032
【請求項９】
複数のノードと該複数のノード間を接続する複数のリンクとからなる光ネットワークにおいて、前記複数のリンクから構成される上りパスおよび下りパスにおける望ましい光の波長を導出する光ネットワーク経路制御装置を用いた光ネットワーク経路制御方法をコンピュータに実行させるためのプログラムであって、
前記上りパスとして使用可能な複数の候補波長のうち、数１７により、各ノードおよび各リンクを光信号が通過することによって生じる代表的な波長における光信号対雑音比の劣化量から、前記上りパスにおけるエンドエンドの光信号対雑音比（推定値）を算出する第１のステップと、
該算出した上りパスにおける光信号対雑音比を所定の閾値と比較する第２のステップと、
前記第２のステップの比較結果から上りパスにおける光信号対雑音比が前記所定の閾値よりも高く、かつ未使用の前記代表的な波長を含む複数の使用可能波長及び経路を導出する第３のステップと、
前記下りパスとして使用可能な複数の候補波長のうち、数１８により、各ノードおよび各リンクを光信号が通過することによって生じる代表的な波長における光信号対雑音比の劣化量から、前記下りパスにおけるエンドエンドの光信号対雑音比（推定値）を算出する第４のステップと、
該算出した下りパスにおける光信号対雑音比を所定の閾値と比較する第５のステップと、
前記第５のステップの比較結果から前記下りパスにおける光信号対雑音比が前記所定の閾値よりも高く、かつ未使用の前記代表的な波長を含む複数の使用可能波長及び経路を導出する第６のステップと、
をコンピュータに実行させるためのプログラム。
【数１７】
2013016951.tif 000033
【数１８】
2013016951.tif 000034
【請求項１０】
複数のノードと該複数のノード間を接続する複数のリンクとからなる光ネットワークにおいて、前記複数のリンクから構成される上りパスおよび下りパスにおける望ましい光の波長を導出する光ネットワーク経路制御装置を用いた光ネットワーク経路制御方法をコンピュータに実行させるためのプログラムであって、
前記上りパスとして使用可能な複数の候補波長のうち、数１９により、各ノードおよび各リンクを光信号が通過することによって生じる代表的な波長における光信号対雑音比の劣化量から、前記上りパスにおけるエンドエンドの光信号対雑音比（推定値）を算出する第１のステップと、
該算出した上りパスにおける光信号対雑音比を所定の閾値と比較する第２のステップと、
前記第２のステップの比較結果から前記上りパスにおける光信号対雑音比が前記所定の閾値よりも高く、かつ未使用の前記代表的な波長を含む複数の使用可能波長及び経路を導出する第３のステップと、
前記下りパスとして使用可能な複数の候補波長のうち、数２０により、各ノードおよび各リンクを光信号が通過することによって生じる代表的な波長における光信号対雑音比の劣化量から、前記下りパスにおけるエンドエンドの光信号対雑音比（推定値）を算出する第４のステップと、
該算出した下りパスにおける光信号対雑音比を所定の閾値と比較する第５のステップと、
前記第５のステップの比較結果から前記下りパスにおける光信号対雑音比が前記所定の閾値よりも高く、かつ未使用の前記代表的な波長を含む複数の使用可能波長及び経路を導出する第６のステップと、
前記第３のステップの導出結果と前記第６のステップの導出結果とから数２１を用いて、前記上りパスおよび下りパスにおいて、使用可能な共通の波長を抽出する第７のステップと、
をコンピュータに実行させるためのプログラム。
【数１９】
2013016951.tif 000035
【数２０】
2013016951.tif 000036
【数２１】
2013016951.tif 000037
【請求項１１】
複数のノードと該複数のノード間を接続する複数のリンクとからなる光ネットワークにおいて、前記複数のリンクから構成される上りパスおよび下りパスにおける望ましい光の波長を導出する光ネットワーク経路制御装置を用いた光ネットワーク経路制御方法をコンピュータに実行させるためのプログラムであって、
前記上りパスとして使用可能な複数の候補波長のうち、数２２により、各ノードおよび各リンクを光信号が通過することによって生じる個別の候補波長における光信号対雑音比の劣化量から、個別の候補波長を使用した前記上りパスにおける光信号対雑音比を複数の候補波長分算出する第１のステップと、
複数の候補波長について算出した複数の上りパスにおける各々の光信号対雑音比を所定の閾値と比較する第２のステップと、
前記第２のステップの比較結果から複数の前記上りパスにおける各々の光信号対雑音比が所定の閾値よりも高く、かつ未使用である複数の候補波長及び経路を導出する第３のステップと、
前記下りパスとして使用可能な複数の候補波長のうち、数２３により、各ノードおよび各リンクを光信号が通過することによって生じる個別の候補波長における光信号対雑音比の劣化量から、個別の候補波長を使用した前記下りパスにおける光信号対雑音比を複数の候補波長分算出する第４のステップと、
複数の候補波長について算出した複数の下りパスにおける各々の光信号対雑音比を所定の閾値と比較する第５のステップと、
前記第５のステップの比較結果から複数の前記下りパスにおける各々の光信号対雑音比が所定の閾値よりも高く、かつ未使用である複数の候補波長及び経路を導出する第６のステップと、をコンピュータに実行させるためのプログラム。
【数２２】
2013016951.tif 000038
【数２３】
2013016951.tif 000039
【請求項１２】
複数のノードと該複数のノード間を接続する複数のリンクとからなる光ネットワークにおいて、前記複数のリンクから構成される上りパスおよび下りパスにおける望ましい光の波長を導出する光ネットワーク経路制御装置を用いた光ネットワーク経路制御方法をコンピュータに実行させるためのプログラムであって、
前記上りパスとして使用可能な複数の候補波長のうち、数２４により、各ノードおよび各リンクを光信号が通過することによって生じる個別の候補波長における光信号対雑音比の劣化量から、個別の候補波長を使用した前記上りパスにおける光信号対雑音比を複数の候補波長分算出する第１のステップと、
複数の候補波長について算出した複数の上りパスにおける各々の光信号対雑音比を所定の閾値と比較する第２のステップと、
前記第２のステップの比較結果から複数の前記上りパスにおける各々の光信号対雑音比が所定の閾値よりも高く、かつ未使用である複数の候補波長及び経路を導出する第３のステップと、
前記下りパスとして使用可能な複数の候補波長のうち、数２５により、各ノードおよび各リンクを光信号が通過することによって生じる個別の候補波長における光信号対雑音比の劣化量から、個別の候補波長を使用した前記下りパスにおける光信号対雑音比を複数の候補波長分算出する第４のステップと、
複数の候補波長について算出した複数の下りパスにおける各々の光信号対雑音比を所定の閾値と比較する第５のステップと、
前記第５のステップの比較結果から複数の前記下りパスにおける各々の光信号対雑音比が所定の閾値よりも高く、かつ未使用である複数の候補波長及び経路を導出する第６のステップと、
前記第３のステップの導出結果と前記第６のステップの導出結果とから数２６を用いて、前記上りパスおよび下りパスにおいて、使用可能な共通の波長を抽出する第７のステップと、
をコンピュータに実行させるためのプログラム。
【数２４】
2013016951.tif 000040
【数２５】
2013016951.tif 000041
【数２６】
2013016951.tif 000042
【発明の詳細な説明】
【技術分野】
【０００１】
本発明は、波長スイッチング光ネットワークにおいて、双方向パスにおける光信号品質を満たす好適な光波長を導出する光ネットワーク経路制御装置、光ネットワーク経路制御方法およびプログラムに関する。
【背景技術】
【０００２】
従来、複数のノードとこれらのノードとを接続するリンクとから構成され、ある始点ノードから入力された光信号を光信号−電気信号−光信号に変換してある終点ノードへ光パスを通してデータ転送する波長スイッチング光ネットワークが知られている。
【０００３】
このような波長スイッチング光ネットワークにおいて、動的な回線設定を行うためには、波長連続性の制約条件と光信号品質に関する制約条件を考慮して経路設定する必要がある。そのため、そのアルゴリズムとしてＩＡ−ＲＷＡ（インペアメントアウェアルーティング と 波長アサインメント）アルゴリズムが提案されている（例えば、非特許文献１参照。）。
【先行技術文献】
【非特許文献】
【０００４】
【非特許文献１】Ｒ．Ｍａｒｔｉｎｅｚ，ｅｔ  ａｌ．， ”Ｅｘｐｅｒｉｍｅｎｔａｌ  Ｔｒａｎｓｌｕｃｅｎｔ−Ｏｒｉｅｎｔｅｄ  Ｒｏｕｔｉｎｇ ｆｏｒ  Ｄｙｎａｍｉｃ Ｌｉｇｈｔｐａｔｈ  Ｐｒｏｖｉｓｉｏｎｉｎｇ  ｉｎ ＧＭＰＬＳ−Ｅｎａｂｌｅｄ  Ｗａｖｅｌｅｎｇｔｈ Ｓｗｉｔｃｈｅｄ  Ｏｐｔｉｃａｌ  Ｎｅｔｗｏｒｋｓ“，  ＪＯＵＲＮＡＬ  ＯＦ  ＬＩＧＨＴＷＡＶＥ  ＴＥＣＨＮＯＬＯＧＹ，ＶＯＬ．２８，  ＮＯ．８，ＡＰＲＩＬ  １５，２０１０．
【発明の概要】
【発明が解決しようとする課題】
【０００５】
通常、光ネットワークでは、異なる2つの光ファイバ伝送路を用いて双方向の通信を行っているが、これまでのＩＡ−ＲＷＡでは、単一方向の光信号品質の制約条件のみを考慮して経路計算が行われてきた。
【０００６】
しかしながら、ＷＤＭ（Ｗａｖｅｌｅｎｇｔｈ  Ｄｉｖｉｓｉｏｎ  Ｍｕｌｔｉｐｌｅｘ)信号の高速化(１００Ｇ化)により、光信号対雑音比（ＯＳＮＲ）に対する要求条件が厳しくなり、双方向それぞれの光ファイバ伝送路（光ファイバをリンクとし、リンクが複数つながった伝送路を光パスとする）において、光信号品質の制約条件を満足し、かつ、各信号間の光パワーのレベル差（利得等化ばらつきなど）に起因するＷＤＭ信号間の品質劣化差分も考慮しながら、ルートや波長を選択しないと、品質や接続性を担保してダイナミックに双方向の光回線を設定することができなくなると想定される。
【０００７】
そこで、本発明は、上述の課題に鑑みてなされたものであり、波長スイッチング光ネットワークにおいて、双方向パスにおける光信号品質を満たす好適な光波長を導出し、その結果に基づいた双方向パスを設定する光ネットワーク経路制御装置、光ネットワーク経路制御方法およびプログラムを提供することを目的とする。
【課題を解決するための手段】
【０００８】
本発明は、上記の課題を解決するために、以下の事項を提案している。なお、理解を容易にするために、本発明の実施形態に対応する符号を付して説明するが、これに限定されるものではない。
【０００９】
（１）本発明は、複数のノードと該複数のノード間を接続する複数のリンクとからなる光ネットワークにおいて、前記複数のリンクから構成される上りパスおよび下りパスにおける望ましい光の波長を導出する光ネットワーク経路制御装置であって、前記上りパスとして使用可能な複数の候補波長のうち、数１により、各ノードおよび各リンクを光信号が通過することによって生じる代表的な波長における光信号対雑音比の劣化量から、前記上りパスにおけるエンドエンドの光信号対雑音比（推定値）を算出する第１の算出手段（例えば、図２の算出部１１１に相当）と、該算出した上りパスにおける光信号対雑音比を所定の閾値と比較する第１の比較手段（例えば、図２の比較部１１２に相当）と、前記第１の比較手段の比較結果から前記上りパスにおける光信号対雑音比が前記所定の閾値よりも高く、かつ未使用の前記代表的な波長を含む複数の使用可能波長及び経路を導出する第１の導出手段（例えば、図２の導出部１１３に相当）と、前記下りパスとして使用可能な複数の候補波長のうち、数２により、各ノードおよび各リンクを光信号が通過することによって生じる代表的な波長における光信号対雑音比の劣化量から、前記下りパスにおけるエンドエンドの光信号対雑音比（推定値）を算出する第２の算出手段（例えば、図２の算出部１２１に相当）と、該算出した下りパスにおける光信号対雑音比を所定の閾値と比較する第２の比較手段（例えば、図２の比較部１２２に相当）と、前記第２の比較手段の比較結果から前記下りパスにおける光信号対雑音比が前記所定の閾値よりも高く、かつ未使用の前記代表的な波長を含む複数の使用可能波長及び経路を導出する第２の導出手段（例えば、図２の導出部１２３に相当）と、を備えたことを特徴とする光ネットワーク経路制御装置を提案している。
【００１０】
本発明によれば、第１の算出手段は、上りパスとして使用可能な複数の候補波長のうち、数１により、各ノードおよび各リンクを光信号が通過することによって生じる代表的な波長における光信号対雑音比の劣化量（以後リンクＯＳＮＲやノードＯＳＮＲと呼ぶ）から上りパスにおける光信号対雑音比を算出する。第１の比較手段は、算出した上りパスにおける光信号対雑音比を所定の閾値と比較する。第１の導出手段は、第１の比較手段の比較結果から上りパスにおける光信号対雑音比が所定の閾値よりも高く、かつ未使用の代表的な波長を含む複数の使用可能波長及び経路を導出する。第２の算出手段は、下りパスとして使用可能な複数の候補波長のうち、数２により、各ノードおよび各リンクを光信号が通過することによって生じる代表的な波長における光信号対雑音比の劣化量から下りパスにおけるエンドエンドの光信号対雑音比（推定値）を算出する。第２の比較手段は、算出した下りパスにおける光信号対雑音比を所定の閾値と比較する。第２の導出手段は、第２の比較手段の比較結果から下りパスにおける光信号対雑音比が所定の閾値よりも高く、かつ未使用の代表的な波長を含む複数の使用可能波長及び経路を導出する。したがって、上りパスおよび下りパスにおいて、一定の光信号品質を担保する好適な代表的な波長を含む複数の使用可能波長及び経路を導出することができる。
【００１１】
（２）本発明は、（１）の光ネットワーク経路制御装置について、前記第１の導出手段の導出結果と前記第２の導出手段の導出結果とから数３を用いて、前記上りパスおよび下りパスにおいて、使用可能な共通の波長を抽出する抽出手段（例えば、図４の抽出部１３１に相当）を備えたことを特徴とする光ネットワーク経路制御装置を提案している。
【００１２】
本発明によれば、抽出手段は、第１の導出手段の導出結果と第２の導出手段の導出結果とから数３を用いて、上りパスおよび下りパスにおける使用可能な共通の波長を抽出する。したがって、上りパスおよび下りパスにおいて、一定の光信号品質を担保することができ、しかも、上りパスおよび下りパスにおいて、その代表的な波長を含む複数の候補波長から１つに共通な使用波長を導出することができるため、現状の上り下り同じ波長を使用したオペレーションに則した光パス設定が可能となる。
【００１３】
（３）本発明は、複数のノードと該複数のノード間を接続する複数のリンクとからなる光ネットワークにおいて、前記複数のリンクから構成される上りパスおよび下りパスにおける望ましい光の波長を導出する光ネットワーク経路制御装置であって、前記上りパスとして使用可能な複数の候補波長のうち、数４により、各ノードおよび各リンクを光信号が通過することによって生じる個別の候補波長における光信号対雑音比の劣化量から、個別の候補波長を使用した前記上りパスにおける光信号対雑音比を複数の候補波長分算出する第１の算出手段（例えば、図５の算出部２１１に相当）と、複数の候補波長について算出した複数の上りパスにおける各々の光信号対雑音比を所定の閾値と比較する第１の比較手段（例えば、図５の比較部２１２に相当）と、前記第１の比較手段の比較結果から複数の前記上りパスにおける各々の光信号対雑音比が所定の閾値よりも高く、かつ未使用である複数の候補波長及び経路を導出する第１の導出手段（例えば、図５の導出部２１３に相当）と、前記下りパスとして使用可能な複数の候補波長のうち、数５により、各ノードおよび各リンクを光信号が通過することによって生じる個別の候補波長における光信号対雑音比の劣化量から、個別の候補波長を使用した前記下りパスにおける光信号対雑音比を複数の候補波長分算出する第２の算出手段（例えば、図５の算出部２２１に相当）と、複数の候補波長について算出した複数の下りパスにおける各々の光信号対雑音比を所定の閾値と比較する第２の比較手段（例えば、図５の比較部２２２に相当）と、前記第２の比較手段の比較結果から複数の前記下りパスにおける各々の光信号対雑音比が所定の閾値よりも高く、かつ未使用である複数の候補波長及び経路を導出する第２の導出手段（例えば、図５の導出部２２３に相当）と、を備えたことを特徴とする光ネットワーク経路制御装置を提案している。
【００１４】
本発明によれば、第１の算出手段は、上りパスとして使用可能な複数の候補波長のうち、数４により、各ノードおよび各リンクを光信号が通過することによって生じる個別の候補波長における光信号対雑音比の劣化量から、個別の候補波長を使用した前記上りパスにおける光信号対雑音比を複数の候補波長分算出する。第１の比較手段は、複数の候補波長について算出した複数の上りパスにおける各々の光信号対雑音比を所定の閾値と比較する。第１の導出手段は、第１の比較手段の比較結果から複数の上りパスにおける各々の光信号対雑音比が所定の閾値よりも高く、かつ未使用である複数の候補波長及び経路を導出する。第２の算出手段は、下りパスとして使用可能な複数の候補波長のうち、数５により、各ノードおよび各リンクを光信号が通過することによって生じる個別の候補波長における光信号対雑音比の劣化量から、個別の候補波長を使用した前記下りパスにおける光信号対雑音比を複数の候補波長分算出する。第２の比較手段は、複数の候補波長について算出した複数の下りパスにおける各々の光信号対雑音比を所定の閾値と比較する。第２の導出手段は、第２の比較手段の比較結果から複数の下りパスにおける各々の光信号対雑音比が所定の閾値よりも高く、かつ未使用である複数の候補波長及び経路を導出する。したがって、上りパスおよび下りパスにおいて、一定の光信号品質を担保する好適な光信号波長とパス経路を導出することができる。
【００１５】
（４）本発明は、（３）の光ネットワーク経路制御装置について、前記第１の導出手段の導出結果と前記第２の導出手段の導出結果とから数６を用いて、前記上りパスおよび下りパスにおいて、使用可能な共通の波長を抽出する抽出手段（例えば、図７の抽出部２３１に相当）を備えたことを特徴とする光ネットワーク経路制御装置を提案している。
【００１６】
本発明によれば、抽出手段は、第１の導出手段の導出結果と第２の導出手段の導出結果とから数６を用いて、上りパスおよび下りパスにおいて、使用可能な共通の波長を抽出する。したがって、上りパスおよび下りパスにおいて、一定の光信号品質を担保する好適な複数の使用可能波長を導出することができ、しかも、上りパスおよび下りパスにおいて、複数の候補波長から使用可能波長を１つに共通化することができるため、上り下り同じ波長を使用した現状のオペレーションに則した光パス設定が可能となる。
【００１７】
（５）本発明は、複数のノードと該複数のノード間を接続する複数のリンクとからなる光ネットワークにおいて、前記複数のリンクから構成される上りパスおよび下りパスにおける望ましい光の波長を導出する光ネットワーク経路制御装置を用いた光ネットワーク経路制御方法であって、前記上りパスとして使用可能な複数の候補波長のうち、数７により、各ノードおよび各リンクを光信号が通過することによって生じる代表的な波長における光信号対雑音比の劣化量から、前記上りパスにおけるエンドエンドの光信号対雑音比（推定値）を算出する第１のステップ（例えば、図３のステップＳ１０５に相当）と、該算出した上りパスにおける光信号対雑音比を所定の閾値と比較する第２のステップ（例えば、図３のステップＳ１０６に相当）と、前記第２のステップの比較結果から上りパスにおける光信号対雑音比が所定の閾値よりも高く、かつ未使用の代表的な波長を含む複数の使用可能波長及び経路を導出する第３のステップ（例えば、図３のステップＳ１０７、ステップＳ１０８に相当）と、前記下りパスとして使用可能な複数の候補波長のうち、数８により、各ノードおよび各リンクを光信号が通過することによって生じる代表的な波長における光信号対雑音比の劣化量から、前記下りパスにおけるエンドエンドの光信号対雑音比（推定値）を算出する第４のステップ（例えば、図３のステップＳ１０５に相当）と、該算出した下りパスにおける光信号対雑音比を所定の閾値と比較する第５のステップ（例えば、図３のステップＳ１０６に相当）と、前記第５のステップの比較結果から前記下りパスにおける光信号対雑音比が前記所定の閾値よりも高く、かつ未使用の前記代表的な波長を含む複数の使用可能波長及び経路を導出する第６のステップ（例えば、図３のステップＳ１０７、ステップＳ１０８に相当）と、を備えたことを特徴とする光ネットワーク経路制御方法を提案している。
【００１８】
本発明によれば、上りパスとして使用可能な複数の候補波長のうち、数７により、各ノードおよび各リンクを光信号が通過することによって生じる代表的な波長における光信号対雑音比の劣化量から、上りパスにおけるエンドエンドの光信号対雑音比（推定値）を算出し、算出した上りパスにおける光信号対雑音比を所定の閾値と比較する。そして、比較結果から上りパスにおける光信号対雑音比が所定の閾値よりも高く、かつ未使用の代表的な波長を含む複数の使用可能波長及び経路を導出する。また、下りパスとして使用可能な複数の候補波長のうち、数８により、各ノードおよび各リンクを光信号が通過することによって生じる代表的な波長における光信号対雑音比の劣化量から、下りパスにおけるエンドエンドの光信号対雑音比（推定値）を算出し、算出した下りパスにおける光信号対雑音比を所定の閾値と比較する。そして、比較結果から下りパスにおける光信号対雑音比が所定の閾値よりも高く、かつ未使用の代表的な波長を含む複数の使用可能波長及び経路を導出する。したがって、上りパスおよび下りパスにおいて、一定の光信号品質を担保する好適な代表的な波長を含む複数の波長からなる光信号波長及び経路に光パスを設定することができる。
【００１９】
（６）本発明は、複数のノードと該複数のノード間を接続する複数のリンクとからなる光ネットワークにおいて、前記複数のリンクから構成される上りパスおよび下りパスにおける望ましい光の波長を導出する光ネットワーク経路制御装置を用いた光ネットワーク経路制御方法であって、前記上りパスとして使用可能な複数の候補波長のうち、数９により、各ノードおよび各リンクを光信号が通過することによって生じる代表的な波長における光信号対雑音比の劣化量から、前記上りパスにおけるエンドエンドの光信号対雑音比（推定値）を算出する第１のステップ（例えば、図５のステップＳ２０５に相当）と、該算出した上りパスにおける光信号対雑音比を所定の閾値と比較する第２のステップ（例えば、図５のステップＳ２０６に相当）と、前記第２のステップの比較結果から上りパスにおける光信号対雑音比が所定の閾値よりも高く、かつ未使用の代表的な波長を含む複数の使用可能波長及び経路を導出する第３のステップ（例えば、図５のステップＳ２０７、ステップＳ２０８に相当）と、前記下りパスとして使用可能な複数の候補波長のうち、数１０により、各ノードおよび各リンクを光信号が通過することによって生じる代表的な波長における光信号対雑音比の劣化量から、前記下りパスにおけるエンドエンドの光信号対雑音比（推定値）を算出する第４のステップ（例えば、図５のステップＳ２０５に相当）と、該算出した下りパスにおける光信号対雑音比を所定の閾値と比較する第５のステップ（例えば、図５のステップＳ２０６に相当）と、前記第５のステップの比較結果から前記下りパスにおける光信号対雑音比が前記所定の閾値よりも高く、かつ未使用の前記代表的な波長を含む複数の使用可能波長及び経路を導出する第６のステップ（例えば、図５のステップＳ２０７、ステップＳ２０８に相当）と、前記第３のステップの導出結果と前記第６のステップの導出結果とから数１１を用いて、前記上りパスおよび下りパスにおいて、使用可能な共通の波長を抽出する第７のステップ（例えば、図５のステップＳ２０６に相当）と、を備えたことを特徴とする光ネットワーク経路制御方法を提案している。
【００２０】
本発明によれば、上りパスとして使用可能な複数の候補波長のうち、数９により、各ノードおよび各リンクを光信号が通過することによって生じる代表的な波長における光信号対雑音比の劣化量から、上りパスにおけるエンドエンドの光信号対雑音比（推定値）を算出し、算出した上りパスにおける光信号対雑音比を所定の閾値と比較する。そして、比較結果から上りパスにおける光信号対雑音比が所定の閾値よりも高く、かつ未使用の代表的な波長を含む複数の使用可能波長及び経路を導出する。また、下りパスとして使用可能な複数の候補波長のうち、数１０により、各ノードおよび各リンクを光信号が通過することによって生じる代表的な波長における光信号対雑音比の劣化量から、下りパスにおけるエンドエンドの光信号対雑音比（推定値）を算出し、算出した下りパスにおける光信号対雑音比を所定の閾値と比較する。そして、比較結果から下りパスにおける光信号対雑音比が所定の閾値よりも高く、かつ未使用の代表的な波長を含む複数の使用可能波長及び経路を導出する。そして、第３のステップの導出結果と第６のステップの導出結果とから数１１を用いて、上りパスおよび下りパスにおいて、使用可能な共通の波長を抽出する。したがって、上りパスおよび下りパスにおいて、一定の光信号品質を担保する好適な複数の使用可能波長を導出することができ、しかも、上りパスおよび下りパスにおいて、代表的な波長を含む複数の候補波長から使用可能波長を１つに共通化することができるため、上り下り同じ波長を使用した現状のオペレーションに則した光パス設定が可能となる。
【００２１】
（７）本発明は、複数のノードと該複数のノード間を接続する複数のリンクとからなる光ネットワークにおいて、前記複数のリンクから構成される上りパスおよび下りパスにおける望ましい光の波長を導出する光ネットワーク経路制御装置を用いた光ネットワーク経路制御方法であって、前記上りパスとして使用可能な複数の候補波長のうち、数１２により、各ノードおよび各リンクを光信号が通過することによって生じる個別の候補波長における光信号対雑音比の劣化量から、個別の候補波長を使用した前記上りパスにおける光信号対雑音比を複数の候補波長分算出する第１のステップ（例えば、図７のステップＳ３０５に相当）と、複数の候補波長について算出した複数の上りパスにおける各々の光信号対雑音比を所定の閾値と比較する第２のステップ（例えば、図７のステップＳ３０６に相当）と、前記第２のステップの比較結果から複数の前記上りパスにおける各々の光信号対雑音比が所定の閾値よりも高く、かつ未使用である複数の候補波長及び経路を導出する第３のステップ（例えば、図７のステップＳ３０７、ステップＳ３０８に相当）と、前記下りパスとして使用可能な複数の候補波長のうち、数１３により、各ノードおよび各リンクを光信号が通過することによって生じる個別の候補波長における光信号対雑音比の劣化量から、個別の候補波長を使用した前記下りパスにおける光信号対雑音比を複数の候補波長分算出する第４のステップ（例えば、図７のステップＳ３０５に相当）と、複数の候補波長について算出した複数の下りパスにおける各々の光信号対雑音比を所定の閾値と比較する第５のステップ（例えば、図７のステップＳ３０６に相当）と、前記第５のステップの比較結果から複数の前記下りパスにおける各々の光信号対雑音比が所定の閾値よりも高く、かつ未使用である複数の候補波長及び経路を導出する第６のステップ（例えば、図７のステップＳ３０７、ステップＳ３０８に相当）と、を備えたことを特徴とする光ネットワーク経路制御方法を提案している。
【００２２】
本発明によれば、上りパスとして使用可能な複数の候補波長のうち、数１２により、各ノードおよび各リンクを光信号が通過することによって生じる個別の候補波長における光信号対雑音比の劣化量から、個別の候補波長を使用した上りパスにおける光信号対雑音比を複数の候補波長分算出し、複数の候補波長について算出した複数の上りパスにおける各々の光信号対雑音比を所定の閾値と比較して、比較結果から複数の上りパスにおける各々の光信号対雑音比が所定の閾値よりも高く、かつ未使用である複数の候補波長及び経路を導出する。また、前記下りパスとして使用可能な複数の候補波長のうち、数１３により、各ノードおよび各リンクを光信号が通過することによって生じる個別の候補波長における光信号対雑音比の劣化量から、個別の候補波長を使用した下りパスにおける光信号対雑音比を複数の候補波長分算出し、複数の候補波長について算出した複数の下りパスにおける各々の光信号対雑音比を所定の閾値と比較して、比較結果から複数の下りパスにおける各々の光信号対雑音比が所定の閾値よりも高く、かつ未使用である複数の候補波長及び経路を導出する。したがって、上りパスおよび下りパスにおいて、一定の光信号品質を担保する好適な光信号波長とパス経路を設定することができる。
【００２３】
（８）本発明は、複数のノードと該複数のノード間を接続する複数のリンクとからなる光ネットワークにおいて、前記複数のリンクから構成される上りパスおよび下りパスにおける望ましい光の波長を導出する光ネットワーク経路制御装置を用いた光ネットワーク経路制御方法であって、前記上りパスとして使用可能な複数の候補波長のうち、数１４により、各ノードおよび各リンクを光信号が通過することによって生じる個別の候補波長における光信号対雑音比の劣化量から、個別の候補波長を使用した前記上りパスにおける光信号対雑音比を複数の候補波長分算出する第１のステップ（例えば、図９のステップＳ４０５に相当）と、複数の候補波長について算出した複数の上りパスにおける各々の光信号対雑音比を所定の閾値と比較する第２のステップ（例えば、図９のステップＳ４０６に相当）と、前記第２のステップの比較結果から複数の前記上りパスにおける各々の光信号対雑音比が所定の閾値よりも高く、かつ未使用である複数の候補波長及び経路を導出する第３のステップ（例えば、図９のステップＳ４０７、ステップＳ４０８に相当）と、前記下りパスとして使用可能な複数の候補波長のうち、数１５により、各ノードおよび各リンクを光信号が通過することによって生じる個別の候補波長における光信号対雑音比の劣化量から、個別の候補波長を使用した前記下りパスにおける光信号対雑音比を複数の候補波長分算出する第４のステップ（例えば、図９のステップＳ４０５に相当）と、複数の候補波長について算出した複数の下りパスにおける各々の光信号対雑音比を所定の閾値と比較する第５のステップ（例えば、図９のステップＳ４０６に相当）と、前記第５のステップの比較結果から複数の前記下りパスにおける各々の光信号対雑音比が所定の閾値よりも高く、かつ未使用である複数の候補波長及び経路を導出する第６のステップ（例えば、図９のステップＳ４０７、ステップＳ４０８に相当）と、前記第３のステップの導出結果と前記第６のステップの導出結果とから数１６を用いて、前記上りパスおよび下りパスにおいて、使用可能な共通の波長を抽出する第７のステップ（例えば、図９のステップＳ４０６に相当）と、を備えたことを特徴とする光ネットワーク経路制御方法を提案している。
【００２４】
本発明によれば、上りパスとして使用可能な複数の候補波長のうち、数１４により、各ノードおよび各リンクを光信号が通過することによって生じる個別の候補波長における光信号対雑音比の劣化量から、個別の候補波長を使用した上りパスにおける光信号対雑音比を複数の候補波長分算出し、複数の候補波長について算出した複数の上りパスにおける各々の光信号対雑音比を所定の閾値と比較して、比較結果から複数の上りパスにおける各々の光信号対雑音比が所定の閾値よりも高く、かつ未使用である複数の候補波長及び経路を導出する。また、下りパスとして使用可能な複数の候補波長のうち、数１５により、各ノードおよび各リンクを光信号が通過することによって生じる個別の候補波長における光信号対雑音比の劣化量から、個別の候補波長を使用した下りパスにおける光信号対雑音比を複数の候補波長分算出し、複数の候補波長について算出した複数の下りパスにおける各々の光信号対雑音比を所定の閾値と比較して、比較結果から複数の下りパスにおける各々の光信号対雑音比が所定の閾値よりも高く、かつ未使用である複数の候補波長及び経路を導出する。そして、第３のステップの導出結果と第６のステップの導出結果とから数１６を用いて、上りパスおよび下りパスにおいて、使用可能な共通の波長を抽出する。したがって、上りパスおよび下りパスにおいて、一定の光信号品質を担保する好適な複数の使用可能波長を導出することができ、しかも、上りパスおよび下りパスにおいて、複数の候補波長から使用可能波長を１つに共通化することができるため、上り下り同じ波長を使用した現状のオペレーションに則した光パス設定が可能となる。
【００２５】
（９）本発明は、複数のノードと該複数のノード間を接続する複数のリンクとからなる光ネットワークにおいて、前記複数のリンクから構成される上りパスおよび下りパスにおける望ましい光の波長を導出する光ネットワーク経路制御装置を用いた光ネットワーク経路制御方法をコンピュータに実行させるためのプログラムであって、前記上りパスとして使用可能な複数の候補波長のうち、数１７により、各ノードおよび各リンクを光信号が通過することによって生じる代表的な波長における光信号対雑音比の劣化量から、前記上りパスにおけるエンドエンドの光信号対雑音比（推定値）を算出する第１のステップ（例えば、図３のステップＳ１０５に相当）と、該算出した上りパスにおける光信号対雑音比を所定の閾値と比較する第２のステップ（例えば、図３のステップＳ１０６に相当）と、前記第２のステップの比較結果から上りパスにおける光信号対雑音比が前記所定の閾値よりも高く、かつ未使用の前記代表的な波長を含む複数の使用可能波長及び経路を導出する第３のステップ（例えば、図３のステップＳ１０７、ステップＳ１０８に相当）と、前記下りパスとして使用可能な複数の候補波長のうち、数１８により、各ノードおよび各リンクを光信号が通過することによって生じる代表的な波長における光信号対雑音比の劣化量から、前記下りパスにおけるエンドエンドの光信号対雑音比（推定値）を算出する第４のステップ（例えば、図３のステップＳ１０５に相当）と、該算出した下りパスにおける光信号対雑音比を所定の閾値と比較する第５のステップ（例えば、図３のステップＳ１０６に相当）と、前記第５のステップの比較結果から前記下りパスにおける光信号対雑音比が前記所定の閾値よりも高く、かつ未使用の前記代表的な波長を含む複数の使用可能波長及び経路を導出する第６のステップ（例えば、図３のステップＳ１０７、ステップＳ１０８に相当）と、をコンピュータに実行させるためのプログラムを提案している。
【００２６】
本発明によれば、上りパスとして使用可能な複数の候補波長のうち、数１７により、各ノードおよび各リンクを光信号が通過することによって生じる代表的な波長における光信号対雑音比の劣化量から、上りパスにおけるエンドエンドの光信号対雑音比（推定値）を算出し、該算出した上りパスにおける光信号雑音比を所定の閾値と比較する。そして、比較結果から上りパスにおける光信号対雑音比が所定の閾値よりも高く、かつ未使用の代表的な波長を含む複数の使用可能波長及び経路を導出する。また、下りパスとして使用可能な複数の候補波長のうち、数１８により、各ノードおよび各リンクを光信号が通過することによって生じる代表的な波長における光信号対雑音比の劣化量から、下りパスにおけるエンドエンドの光信号対雑音比（推定値）を算出し、該算出した下りパスにおける光信号対雑音比を所定の閾値と比較する。そして、比較結果から下りパスにおける光信号対雑音比が所定の閾値よりも高く、かつ未使用の代表的な波長を含む複数の使用可能波長及び経路を導出する。したがって、上りパスおよび下りパスにおいて、一定の光信号品質を担保する好適な代表的な波長を含む複数の波長からなる光信号波長及び経路に光パスを設定することができる。
【００２７】
（１０）本発明は、複数のノードと該複数のノード間を接続する複数のリンクとからなる光ネットワークにおいて、前記複数のリンクから構成される上りパスおよび下りパスにおける望ましい光の波長を導出する光ネットワーク経路制御装置を用いた光ネットワーク経路制御方法をコンピュータに実行させるためのプログラムであって、前記上りパスとして使用可能な複数の候補波長のうち、数１９により、各ノードおよび各リンクを光信号が通過することによって生じる代表的な波長における光信号対雑音比の劣化量から、前記上りパスにおけるエンドエンドの光信号対雑音比（推定値）を算出する第１のステップ（例えば、図５のステップＳ２０５に相当）と、該算出した上りパスにおける光信号対雑音比を所定の閾値と比較する第２のステップ（例えば、図５のステップＳ２０６に相当）と、前記第２のステップの比較結果から前記上りパスにおける光信号対雑音比が前記所定の閾値よりも高く、かつ未使用の前記代表的な波長を含む複数の使用可能波長及び経路を導出する第３のステップ（例えば、図５のステップＳ２０７、ステップＳ２０８に相当）と、前記下りパスとして使用可能な複数の候補波長のうち、数２０により、各ノードおよび各リンクを光信号が通過することによって生じる代表的な波長における光信号対雑音比の劣化量から、前記下りパスにおけるエンドエンドの光信号対雑音比（推定値）を算出する第４のステップ（例えば、図５のステップＳ２０５に相当）と、該算出した下りパスにおける光信号対雑音比を所定の閾値と比較する第５のステップ（例えば、図５のステップＳ２０６に相当）と、前記第５のステップの比較結果から前記下りパスにおける光信号対雑音比が前記所定の閾値よりも高く、かつ未使用の前記代表的な波長を含む複数の使用可能波長及び経路を導出する第６のステップ（例えば、図５のステップＳ２０７、ステップＳ２０８に相当）と、前記第３のステップの導出結果と前記第６のステップの導出結果とから数２１を用いて、前記上りパスおよび下りパスにおいて、使用可能な共通の波長を抽出する第７のステップ（例えば、図５のステップＳ２０６に相当）と、をコンピュータに実行させるためのプログラムを提案している。
【００２８】
本発明によれば、上りパスとして使用可能な複数の候補波長のうち、数１９により、各ノードおよび各リンクを光信号が通過することによって生じる代表的な波長における光信号対雑音比の劣化量から、上りパスにおけるエンドエンドの光信号対雑音比（推定値）を算出し、算出した上りパスにおける光信号対雑音比を所定の閾値と比較する。そして、比較結果から上りパスにおける光信号対雑音比が所定の閾値よりも高く、かつ未使用の代表的な波長を含む複数の使用可能波長及び経路を導出する。また、前記下りパスとして使用可能な複数の候補波長のうち、数２０により、各ノードおよび各リンクを光信号が通過することによって生じる代表的な波長における光信号対雑音比の劣化量から、前記下りパスにおけるエンドエンドの光信号対雑音比（推定値）を算出し、該算出した下りパスにおける光信号対雑音比を所定の閾値と比較する。そして、比較結果から下りパスにおける光信号対雑音比が所定の閾値よりも高く、かつ未使用の代表的な波長を含む複数の使用可能波長及び経路を導出する。そして、第３のステップの導出結果と第６のステップの導出結果とから数１１を用いて、上りパスおよび下りパスにおいて、使用可能な共通の波長を抽出する。したがって、上りパスおよび下りパスにおいて、一定の光信号品質を担保する好適な複数の使用可能波長を導出することができ、しかも、上りパスおよび下りパスにおいて、複数の候補波長から使用可能波長を１つに共通化することができるため、上り下り同じ波長を使用した現状のオペレーションに則した光パス設定が可能となる。
【００２９】
（１１）本発明は、複数のノードと該複数のノード間を接続する複数のリンクとからなる光ネットワークにおいて、前記複数のリンクから構成される上りパスおよび下りパスにおける望ましい光の波長を導出する光ネットワーク経路制御装置を用いた光ネットワーク経路制御方法をコンピュータに実行させるためのプログラムであって、前記上りパスとして使用可能な複数の候補波長のうち、数２２により、各ノードおよび各リンクを光信号が通過することによって生じる個別の候補波長における光信号対雑音比の劣化量から、個別の候補波長を使用した前記上りパスにおける光信号対雑音比を複数の候補波長分算出する第１のステップ（例えば、図７のステップＳ３０５に相当）と、複数の候補波長について算出した複数の上りパスにおける各々の光信号対雑音比を所定の閾値と比較する第２のステップ（例えば、図７のステップＳ３０６に相当）と、前記第２のステップの比較結果から複数の前記上りパスにおける各々の光信号対雑音比が所定の閾値よりも高く、かつ未使用である複数の候補波長及び経路を導出する第３のステップ（例えば、図７のステップＳ３０７、ステップＳ３０８に相当）と、前記下りパスとして使用可能な複数の候補波長のうち、数２３により、各ノードおよび各リンクを光信号が通過することによって生じる個別の候補波長における光信号対雑音比の劣化量から、個別の候補波長を使用した前記下りパスにおける光信号対雑音比を複数の候補波長分算出する第４のステップ（例えば、図７のステップＳ３０５に相当）と、複数の候補波長について算出した複数の下りパスにおける各々の光信号対雑音比を所定の閾値と比較する第５のステップ（例えば、図７のステップＳ３０６に相当）と、前記第５のステップの比較結果から複数の前記下りパスにおける各々の光信号対雑音比が所定の閾値よりも高く、かつ未使用である複数の候補波長及び経路を導出する第６のステップ（例えば、図７のステップＳ３０７、ステップＳ３０８に相当）と、をコンピュータに実行させるためのプログラムを提案している。
【００３０】
本発明によれば、上りパスとして使用可能な複数の候補波長のうち、数２２により、各ノードおよび各リンクを光信号が通過することによって生じる個別の候補波長における光信号対雑音比の劣化量から、個別の候補波長を使用した上りパスにおける光信号対雑音比を複数の候補波長分算出し、複数の候補波長について算出した複数の上りパスにおける各々の光信号対雑音比を所定の閾値と比較して、比較結果から複数の上りパスにおける各々の光信号対雑音比が所定の閾値よりも高く、かつ未使用である複数の候補波長及び経路を導出する。また、前記下りパスとして使用可能な複数の候補波長のうち、数２３により、各ノードおよび各リンクを光信号が通過することによって生じる個別の候補波長における光信号対雑音比の劣化量から、個別の候補波長を使用した下りパスにおける光信号対雑音比を複数の候補波長分算出し、複数の候補波長について算出した複数の下りパスにおける各々の光信号対雑音比を所定の閾値と比較して、比較結果から複数の下りパスにおける各々の光信号対雑音比が所定の閾値よりも高く、かつ未使用である複数の候補波長及び経路を導出する。したがって、上りパスおよび下りパスにおいて、一定の光信号品質を担保する好適な光信号波長とパス経路を設定することができる。
【００３１】
（１２）本発明は、複数のノードと該複数のノード間を接続する複数のリンクとからなる光ネットワークにおいて、前記複数のリンクから構成される上りパスおよび下りパスにおける望ましい光の波長を導出する光ネットワーク経路制御装置を用いた光ネットワーク経路制御方法をコンピュータに実行させるためのプログラムであって、前記上りパスとして使用可能な複数の候補波長のうち、数２４により、各ノードおよび各リンクを光信号が通過することによって生じる個別の候補波長における光信号対雑音比の劣化量から、個別の候補波長を使用した前記上りパスにおける光信号対雑音比を複数の候補波長分算出する第１のステップ（例えば、図９のステップＳ４０５に相当）と、複数の候補波長について算出した複数の上りパスにおける各々の光信号対雑音比を所定の閾値と比較する第２のステップ（例えば、図９のステップＳ４０６に相当）と、前記第２のステップの比較結果から複数の前記上りパスにおける各々の光信号対雑音比が所定の閾値よりも高く、かつ未使用である複数の候補波長及び経路を導出する第３のステップ（例えば、図９のステップＳ４０７、ステップＳ４０８に相当）と、前記下りパスとして使用可能な複数の候補波長のうち、数２５により、各ノードおよび各リンクを光信号が通過することによって生じる個別の候補波長における光信号対雑音比の劣化量から、個別の候補波長を使用した前記下りパスにおける光信号対雑音比を複数の候補波長分算出する第４のステップ（例えば、図９のステップＳ４０５に相当）と、複数の候補波長について算出した複数の下りパスにおける各々の光信号対雑音比を所定の閾値と比較する第５のステップ（例えば、図９のステップＳ４０６に相当）と、前記第５のステップの比較結果から複数の前記下りパスにおける各々の光信号対雑音比が所定の閾値よりも高く、かつ未使用である複数の候補波長及び経路を導出する第６のステップ（例えば、図９のステップＳ４０７、ステップＳ４０８に相当）と、前記第３のステップの導出結果と前記第６のステップの導出結果とから数２６を用いて、前記上りパスおよび下りパスにおいて、使用可能な共通の波長を抽出する第７のステップ（例えば、図９のステップＳ４０６に相当）と、をコンピュータに実行させるためのプログラムを提案している。
【００３２】
本発明によれば、上りパスとして使用可能な複数の候補波長のうち、数２４により、各ノードおよび各リンクを光信号が通過することによって生じる個別の候補波長における光信号対雑音比の劣化量から、個別の候補波長を使用した上りパスにおける光信号対雑音比を複数の候補波長分算出し、複数の候補波長について算出した複数の上りパスにおける各々の光信号対雑音比を所定の閾値と比較する。そして、比較結果から複数の上りパスにおける各々の光信号対雑音比が所定の閾値よりも高く、かつ未使用である複数の候補波長及び経路を導出する。また、下りパスとして使用可能な複数の候補波長のうち、数２５により、各ノードおよび各リンクを光信号が通過することによって生じる個別の候補波長における光信号対雑音比の劣化量から、個別の候補波長を使用した下りパスにおける光信号対雑音比を複数の候補波長分算出し、複数の候補波長について算出した複数の下りパスにおける各々の光信号対雑音比を所定の閾値と比較して、比較結果から複数の下りパスにおける各々の光信号対雑音比が所定の閾値よりも高く、かつ未使用である複数の候補波長及び経路を導出する。そして、第３のステップの導出結果と第６のステップの導出結果とから数２６を用いて、上りパスおよび下りパスにおいて、使用可能な共通の波長を抽出する。したがって、上りパスおよび下りパスにおいて、一定の光信号品質を担保する好適な複数の使用可能波長を導出することができ、しかも、上りパスおよび下りパスにおいて、複数の候補波長から使用可能波長を１つに共通化することができるため、上り下り同じ波長を使用した現状のオペレーションに則した光パス設定が可能となる。
【発明の効果】
【００３３】
本発明によれば、波長スイッチング光ネットワークにおいて、双方向パスにおける光信号品質を満たす好適な光波長を導出することができるという効果がある。また、１００Ｇｂｐｓ級の波長スイッチング光ネットワークにおいても、双方向で、同じ経路（異なる光ファイバ）を通り、かつ、双方向で品質が担保された光回線を、同じ波長を使用して提供することが可能な経路計算アルゴリズム及びその制御装置を提供することが可能となり、従来のオペレーションポリシーを継続しながら、光ネットワークの自動制御化が期待できるという効果がある。
【図面の簡単な説明】
【００３４】
【図１】本発明の波長スイッチング光ネットワークの構成を示す図である。
【図２】本発明の第１の実施形態に係る光ネットワーク経路制御装置の構成を示す図である。
【図３】本発明の第１の実施形態に係る光ネットワーク経路制御装置の処理を示す図である。
【図４】本発明の第２の実施形態に係る光ネットワーク経路制御装置の構成を示す図である。
【図５】本発明の第２の実施形態に係る光ネットワーク経路制御装置の処理を示す図である。
【図６】本発明の第３の実施形態に係る光ネットワーク経路制御装置の構成を示す図である。
【図７】本発明の第３の実施形態に係る光ネットワーク経路制御装置の処理を示す図である。
【図８】本発明の第４の実施形態に係る光ネットワーク経路制御装置の構成を示す図である。
【図９】本発明の第４の実施形態に係る光ネットワーク経路制御装置の処理を示す図である。
【発明を実施するための形態】
【００３５】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００３６】
＜波長スイッチング光ネットワークの構成＞
図１を用いて、波長スイッチング光ネットワークの構成について説明する。
【００３７】
本発明に係る波長スイッチング光ネットワークとは、図１に示すように、複数のノード（図１では、Ｎｏｄｅ１からＮｏｄｅ３）と各ノード間を接続するリンクと光ネットワーク経路制御装置１００とから構成されている。また、リンクには、ブースターアンプとインラインアンプおよびプリアンプとが設けられている。以下、実施形態では、ＷＥＳＴからＥＡＳＴへのパスを上りパス、ＥＡＳＴからＷＥＳＴへのパスを下りパスとして説明する。光ネットワーク経路制御装置１００は、各ノードのＯＳＮＲと各リンクのＯＳＮＲから、上りパスおよび下りパスにおけるエンドエンドのパスのＯＳＮＲを算出し、閾値以上の光波長を導くものであるが、その詳細については、後述する。
【００３８】
なお、ノードは、ライン側光インタフェース部と、図示しないクライアント側光インタフェース部と、光クロスコネクト部と、光電気光変換部と、制御部とを備えており、ライン側光インタフェース部は、方路毎に備えられた複数の光インタフェースで構成されており、各光インタフェースは、他のノードの光インタフェースとの間でリンクを構成し、複数波長のＷＤＭ光信号の送受信を行う。光クロスコネクト部は、波長レベルでのクロスコネクト機能、つまり、例えば、ある光インタフェースから受信する複数波長の光信号(WDM光信号)の、任意の１つないしは複数の波長の光信号を、他の任意の光インタフェースに出力する様に接続する機能を提供する。なお、接続は、制御部の制御により実行される。クライアント側光インタフェース部は、光パスの始終点となり、クライアント装置（例えば、トランスポンダやWDM機能を有するスイッチやルータなど）から入力された1つの波長の光信号をＡｄｄしたり、ライン側光インタフェースから受信した複数波長のWDM光信号を光クロスコネクト機能によりある波長の光信号としてＤｒｏｐしたりするためのインタフェースを指す。また、光電気光変換部は、複数の光電気光変換回路を備えており、各光電気光変換回路は、光クロスコネクト部からの光信号を、一旦、電気信号に変換し、この電気信号を再度光信号に変換して光クロスコネクト部に出力する機能、より詳しくは、タイミング再生、波形整形及び増幅の、いわゆる３Ｒ機能を有している。なお、光電気光変換部は、種々の光波長を出力する光電気光変換回路を有している。
【００３９】
制御部は、少なくとも、光通信システムに含まれる光クロスコネクト機能を有する光通信装置について、光通信装置のライン側光インタフェース及びクライアント側光インタフェースを一意に特定する情報を有しており、さらに、各光インタフェースの接続関係と、各リンクの未使用である波長を認識している。つまり、ある光通信装置のあるクライアント側光インタフェースと光パスを介して接続するライン側光インタフェースがどれであるかと、この光パスにおいて使用されていない波長がどれであるかを認識している。これら情報は、手動にて制御部に設定しても良いが、好ましくは、各光通信装置が、他の光ノードと各種メッセージ、例えば、ＯＳＰＦ−ＴＥ（Ｏｐｅｎ Ｓｈｏｒｔｅｓｔ Ｐａｔｈ Ｆｉｒｓｔ−Ｔｒａｆｆｉｃ Ｅｎｇｉｎｅｅｒｉｎｇ）の規定に沿うメッセージを交換して自律的に取得する。さらに、パス設定のためのパスメッセージ及びリザーブメッセージを他の光ノードと交換し、交換したパス及びリザーブメッセージに基づき必要な接続を光クロスコネクト部に対して指示する。
【００４０】
ここで、ノードは、上記のような機能を有するものであるが、それぞれのノードでは、光信号品質の劣化量（本特許ではＯＳＮＲのみに限定）の値が異なる。また、リンクにおいても光増幅器から放出される自然放出雑音や波長分散、ＷＤＭ信号間のクロストーク、光ファイバの非線形性等の物理的な要因によって、その光品質の劣化量（本特許では光増幅器から放出される自然放出雑音の量の違いに起因するＯＳＮＲ値のみに限定）が異なる。本発明は、このような事情に鑑みて、双方向パスにおける光信号品質（本特許では光信号品質のうちＯＳＮＲにフォーカスして記述する）を満たす好適な光波長を導出することを目的としている。
【００４１】
＜第１の実施形態＞
図２および図３を用いて、本発明の第１の実施形態について説明する。
【００４２】
＜光ネットワーク経路制御装置の構成＞
本実施形態に係る光ネットワーク経路制御装置は、図２に示すように、算出部１１１と、比較部１１２と、導出部１１３と、算出部１２１と、比較部１２２と、導出部１２３とから構成されている。
【００４３】
ここで、算出部１１１は、上りパスとして使用可能な複数の候補波長のうち、数１により、各ノードおよび各リンクを光信号が通過することによって生じる代表的な波長における光信号対雑音比の劣化量から、上りパスにおけるエンドエンドの光信号対雑音比（推定値）を算出する。
【００４４】
【数１】
2013016951.tif 000003
【００４５】
比較部１１２は、算出した上りパスにおける光信号対雑音比を所定の閾値と比較する。導出部１１３は、比較部１１２の比較結果から上りパスにおける光信号対雑音比が所定の閾値よりも高く、かつ未使用の代表的な波長を含む複数の使用可能波長及び経路を導出する。なお、具体的な処理においては、例えば、上記の要件を満たすもののうち、値が最も高いものを選択してもよい。また、この場合、比較部１１２において、閾値よりも大きな値のものがあった場合、この値を新たな閾値として、最終的に、残ったものを選択することにより、導出部１１３を削除してもよい。
【００４６】
算出部１２１は、下りパスとして使用可能な複数の候補波長のうち、数２により、各ノードおよび各リンクを光信号が通過することによって生じる代表的な波長における光信号対雑音比の劣化量から、下りパスにおけるエンドエンドの光信号対雑音比（推定値）を算出する。
【００４７】
【数２】
2013016951.tif 000004
【００４８】
比較部１２２は、算出した下りパスにおける光信号対雑音比を所定の閾値と比較する。導出部１２３は、比較部１２２の比較結果から下りパスにおける光信号対雑音比が所定の閾値よりも高く、かつ未使用の代表的な波長を含む複数の使用可能波長及び経路を導出する。なお、具体的な処理においては、例えば、上記の要件を満たすもののうち、値が最も高いものを選択してもよい。また、この場合、比較部１２２において、閾値よりも大きな値のものがあった場合、この値を新たな閾値として、最終的に、残ったものを選択することにより、導出部１２３を削除してもよい。
【００４９】
＜光ネットワーク経路制御装置の処理＞
図３を用いて、本実施形態に係る光ネットワーク経路制御装置の処理について、説明する。
【００５０】
まず、光回線の設定リクエスト（ソースノードＩＤとデスティネーションＩＤ）を制御装置へ入力する（ステップＳ１０１）。次に、Ｐｓｅｔがヌルであるか否かを検証する（ステップＳ１０２）。ここで、Ｐｓｅｔがヌルであれば（ステップＳ１０２の「ＹＥＳ」）、計算をストップし（ステップＳ１０３）、ヌルでなければステップＳ１０４に進む。なお、ここで、Ｐｓｅｔはソースとデスティネーション間でとりうるすべての経路を表す。
【００５１】
次に、Ｐｓｅｔの中からまず、ｓｈｏｒｔｅｓｔ  ｐａｔｈ の経路を選択する（ステップＳ１０４）。次いで、代表的な波長λ０のリンクＬｉ＿λ０＿ＯＳＮＲ値を用いて計算式数３および数４によりＴｏｔａｌ＿λ０＿ＯＳＮＲ（ＷＥ）値とＴｏｔａｌ＿λ０＿ＯＳＮＲ（ＥＷ）値を算出する（ステップＳ１０５）。
【００５２】
【数３】
2013016951.tif 000005
【００５３】
【数４】
2013016951.tif 000006
【００５４】
その後、Ｔｏｔａｌ＿λ０＿ＯＳＮＲ（ＷＥ）値とＴｏｔａｌ＿λ０＿ＯＳＮＲ（ＥＷ）値とのそれぞれについて、トランスポンダの性能により決定される閾値以上であるか、否かを判断する（ステップＳ１０６）。判断の結果、Ｔｏｔａｌ＿λ０＿ＯＳＮＲ（ＷＥ）値とＴｏｔａｌ＿λ０＿ＯＳＮＲ（ＥＷ）値とがいずれも、閾値以上ではない場合（ステップＳ１０６の「ＮＯ」）には、Ｐｓｅｔからこの経路を削除し（ステップＳ１０７）、Ａλｓｅｔから他の波長を選択して、ステップＳ１０２へ戻る。
【００５５】
一方、Ｔｏｔａｌ＿λ０＿ＯＳＮＲ（ＷＥ）値とＴｏｔａｌ＿λ０＿ＯＳＮＲ（ＥＷ）値とのいずれかが、閾値以上である場合（ステップＳ１０６の「ＹＥＳ」）には、閾値以上であるものについて、この経路を選択する。そして、Ａλｓｅｔの中から例えば、Ｆｉｒｓｔ  ｆｉｔアルゴリズムにより使用する波長を選択し、上記の経路計算結果を基に、Ｅｘｐｌｉｃｉｔ  ｒｏｕｔｅ  ｏｂｊｅｃｔ（ＥＲＯ）や波長ラベルｓｕｂ  ｏｂｊｅｃｔなどを使用して、例えばＧＭＰＬＳ  ＲＳＶＰ−ＴＥシグナリングプロトコルを用いて双方向光回線を動的に設定する（ステップＳ１０８）。
【００５６】
以上、説明したように、本実施形態によれば、上り（ＷＥ）パスおよび下り（ＥＷ）パスにおいて、それぞれ一定の光信号品質を担保する好適な代表的な波長を含む複数の使用可能波長及び経路を導出することができる。
【００５７】
＜第２の実施形態＞
図４および図５を用いて、本発明の第２の実施形態について説明する。第１の実施形態においては、上りパスおよび下りパスにおいて、それぞれ一定の光信号品質を担保する好適な代表的な波長を含む複数の波長からなる光信号を設定する方式について説明したが、本実施形態では、上りパスおよび下りパスの双方において、ある一定の品質を維持しつつ、現状の上り下り同じ波長を使用したオペレーションに則した光パス設定が可能となる方式について説明する。
【００５８】
＜光ネットワーク経路制御装置の構成＞
本実施形態に係る光ネットワーク経路制御装置は、図５に示すように、算出部１１１と、比較部１１２と、導出部１１３と、算出部１２１と、比較部１２２と、導出部１２３と、抽出部１３１とから構成されている。なお、第１の実施形態と同一の符号を付す構成要素については、同様の機能を有するものであることから、その詳細な説明については、省略する。
【００５９】
ここで、抽出部１３１は、導出部１１３の導出結果と導出部１２３の導出結果とから数５を用いて、上りパスおよび下りパスにおいて、使用可能な共通の波長を抽出する。
【００６０】
【数５】
2013016951.tif 000007
【００６１】
＜光ネットワーク経路制御装置の処理＞
図５を用いて、本実施形態に係る光ネットワーク経路制御装置の処理について、説明する。
【００６２】
まず、光回線の設定リクエスト（ソースノードＩＤとデスティネーションＩＤ）を制御装置へ入力する（ステップＳ２０１）。次に、Ｐｓｅｔがヌルであるか否かを検証する（ステップＳ２０２）。ここで、Ｐｓｅｔがヌルであれば（ステップＳ２０２の「ＹＥＳ」）、計算をストップし（ステップＳ２０３）、ヌルでなければステップＳ２０４に進む。なお、ここで、Ｐｓｅｔはソースとデスティネーション間でとりうるすべての経路を表す。
【００６３】
次に、Ｐｓｅｔの中からまず、ｓｈｏｒｔｅｓｔ  ｐａｔｈ の経路を選択する（ステップＳ２０４）。次いで、代表的な波長λ０のリンクＬｉ＿λ０＿ＯＳＮＲ値を用いて計算式数６および数７によりＴｏｔａｌ  ＯＳＮＲ（ＷＥ）値とＴｏｔａｌ  ＯＳＮＲ（ＥＷ）値を算出する（ステップＳ２０５）。
【００６４】
【数６】
2013016951.tif 000008
【００６５】
【数７】
2013016951.tif 000009
【００６６】
その後、Ｔｏｔａｌ＿λ０＿ＯＳＮＲ（ＷＥ）値とＴｏｔａｌ＿λ０＿ＯＳＮＲ（ＥＷ）値とのそれぞれについて、トランスポンダの性能により決定される閾値以上であるか、否かを判断する（ステップＳ２０６）。判断の結果、Ｔｏｔａｌ＿λ０＿ＯＳＮＲ（ＷＥ）値とＴｏｔａｌ＿λ０＿ＯＳＮＲ（ＥＷ）値とのそれぞれについて、閾値以上ではない場合（ステップＳ２０６の「ＮＯ」）には、Ｐｓｅｔからこの経路を削除し（ステップＳ２０７）、Ａλｓｅｔから他の波長を選択して、ステップＳ２０２へ戻る。
【００６７】
一方、Ｔｏｔａｌ  ＯＳＮＲ（ＷＥ）値とＴｏｔａｌ＿λ０＿ＯＳＮＲ（ＥＷ）値とのそれぞれについて、閾値以上である場合（ステップＳ２０６の「ＹＥＳ」）には、この経路を選択する。そして、複数の波長について、上記の処理を行い、ＷＥ方向とＥＷ方向に共通な波長を抽出する（ステップＳ２０８）。さらに、ステップＳ２０１からステップＳ２０８の処理結果を基に、Ｅｘｐｌｉｃｉｔ  ｒｏｕｔｅ  ｏｂｊｅｃｔ（ＥＲＯ）や波長ラベルｓｕｂ  ｏｂｊｅｃｔなどを使用して、例えばＧＭＰＬＳ  ＲＳＶＰ−ＴＥシグナリングプロトコルを用いて双方向光回線を動的に設定する（ステップＳ２０９）。
【００６８】
以上、説明したように、本実施形態によれば、上り（ＷＥ）パスおよび下り（ＥＷ）パスにおいて、一定の光信号品質を担保する好適な代表的な波長を含む複数の使用可能波長及び経路を導出でき、しかも、上りパスおよび下りパスにおいて、その代表的な波長を含む複数の候補波長から使用可能波長を１つに共通化することができるため、現状の上り下り同じ波長を使用したオペレーションに則した光パス設定が可能となる。
【００６９】
＜第３の実施形態＞
図６および図７を用いて、本発明の第３の実施形態について説明する。第１の実施形態では、代表的な波長におけるリンクＯＳＮＲやノードＯＳＮＲから光パスのＯＳＮＲを求め、このＯＳＮＲが品質要求を満たす場合には、含まれる複数の波長(ＷＤＭ光信号)についてもほぼ同等の品質を満たすであろうという経験則により、波長の導出を行う例について説明したが、本実施形態においては、複数のＷＤＭ波長の個々の波長（個別の波長）におけるリンクＯＳＮＲ及びノードＯＳＮＲから、その個別の波長の光パスのＯＳＮＲを候補波長数分求め、そのＯＳＮＲが品質要求を満たす波長の導出を行う例について説明する。
【００７０】
＜光ネットワーク経路制御装置の構成＞
本実施形態に係る光ネットワーク経路制御装置は、図６に示すように、算出部２１１と、比較部２１２と、導出部２１３と、算出部２２１と、比較部２２２と、導出部２２３とから構成されている。
【００７１】
ここで、算出部２１１は、上りパスとして使用可能な複数の候補波長のうち、数８により、各ノードおよび各リンクを光信号が通過することによって生じる個別の候補波長における光信号対雑音比の劣化量から、個別の候補波長を使用した上りパスにおける光信号対雑音比を複数の候補波長分算出する。
【００７２】
【数８】
2013016951.tif 000010
【００７３】
比較部２１２は、複数の候補波長（ｋ）について算出した複数の上りパスにおける各々の光信号対雑音比を所定の閾値と比較する。導出部２１３は、比較部２１２の比較結果から複数の前記上りパスにおける各々の光信号対雑音比が所定の閾値よりも高く、かつ未使用である複数の候補波長及び経路を導出する。なお、具体的な処理においては、例えば、上記の要件を満たすもののうち、値が最も高いものを選択してもよい。また、この場合、比較部２１２において、閾値よりも大きな値のものがあった場合、この値を新たな閾値として、最終的に、残ったものを選択することにより、導出部２１３を削除してもよい。
【００７４】
算出部２２１は、下りパスとして使用可能な複数の候補波長のうち、数９により、各ノードおよび各リンクを光信号が通過することによって生じる個別の候補波長における光信号対雑音比の劣化量から、個別の候補波長を使用した下りパスにおける光信号対雑音比を複数の候補波長分算出する。
【００７５】
【数９】
2013016951.tif 000011
【００７６】
比較部２２２は、複数の候補波長について算出した複数の下りパスにおける各々の光信号対雑音比を所定の閾値と比較する。導出部２２３は、比較部２２２の比較結果から複数の下りパスにおける各々の光信号対雑音比が所定の閾値よりも高く、かつ未使用である複数の候補波長及び経路を導出する。なお、具体的な処理においては、例えば、上記の要件を満たすもののうち、値が最も高いものを選択してもよい。また、この場合、比較部２１２において、閾値よりも大きな値のものがあった場合、この値を新たな閾値として、最終的に、残ったものを選択することにより、導出部２１３を削除してもよい。
【００７７】
＜光ネットワーク経路制御装置の処理＞
図７を用いて、本実施形態に係る光ネットワーク経路制御装置の処理について、説明する。
【００７８】
まず、光回線の設定リクエスト（ソースノードＩＤとデスティネーションＩＤ）を制御装置へ入力する（ステップＳ３０１）。次に、Ｐｓｅｔがヌルであるか否かを検証する（ステップＳ３０２）。ここで、Ｐｓｅｔがヌルであれば（ステップＳ３０２の「ＹＥＳ」）、計算をストップし（ステップＳ３０３）、ヌルでなければステップＳ３０４に進む。なお、ここで、Ｐｓｅｔはソースとデスティネーション間でとりうるすべての経路を表す。
【００７９】
次に、Ｐｓｅｔの中からまず、ｓｈｏｒｔｅｓｔ  ｐａｔｈ の経路を選択する（ステップＳ３０４）。次いで、代表的な波長λｋのリンクＬｉ＿λｋ＿ＯＳＮＲ値を用いて計算式数１０および数１１によりＴｏｔａｌ＿λｋ＿ＯＳＮＲ（ＷＥ）値とＴｏｔａｌ＿λｋ＿ＯＳＮＲ（ＥＷ）値を算出する（ステップＳ３０５）。
【００８０】
【数１０】
2013016951.tif 000012
【００８１】
【数１１】
2013016951.tif 000013
【００８２】
その後、Ｔｏｔａｌ＿λｋ＿ＯＳＮＲ（ＷＥ）値とＴｏｔａｌ＿λｋ＿ＯＳＮＲ（ＥＷ）値とのそれぞれについて、トランスポンダの性能により決定される閾値以上であるか、否かを判断する（ステップＳ３０６）。判断の結果、Ｔｏｔａｌ＿λｋ＿ＯＳＮＲ（ＷＥ）値とＴｏｔａｌ＿λｋ＿ＯＳＮＲ（ＥＷ）値とがいずれも、閾値以上ではない場合（ステップＳ３０６の「ＮＯ」）には、Ｐｓｅｔからこの経路を削除し（ステップＳ３０７）、Ａλｓｅｔから他の単一波長を選択して、ステップＳ３０２へ戻る。
【００８３】
一方、Ｔｏｔａｌ＿λｋ＿ＯＳＮＲ（ＷＥ）値とＴｏｔａｌ＿λｋ＿ＯＳＮＲ（ＥＷ）値とのいずれかが、閾値以上である場合（ステップＳ３０６の「ＹＥＳ」）には、閾値以上であるものについて、この経路を選択する。そして、Ａλｓｅｔの中から例えば、Ｆｉｒｓｔ  ｆｉｔアルゴリズムにより使用する波長を選択し、上記の経路計算結果を基に、Ｅｘｐｌｉｃｉｔ  ｒｏｕｔｅ  ｏｂｊｅｃｔ（ＥＲＯ）や波長ラベルｓｕｂ  ｏｂｊｅｃｔなどを使用して、例えばＧＭＰＬＳ  ＲＳＶＰ−ＴＥシグナリングプロトコルを用いて双方向光回線を動的に設定する（ステップＳ３０８）。
【００８４】
以上、説明したように、本実施形態によれば、上り（ＷＥ）パスおよび下り（ＥＷ）パスにおいて、それぞれ一定の光信号品質を担保する好適な複数の使用可能波長を導出することができる。
【００８５】
＜第４の実施形態＞
図８および図９を用いて、本発明の第４の実施形態について説明する。第３の実施形態においては、上りパスおよび下りパスにおいて、複数の波長個々（個別の波長）のリンクＯＳＮＲやノードＯＳＮＲからそれぞれの候補波長について一定の光信号品質を担保する好適な複数の使用可能波長を導出する方式について説明したが、本実施形態では、上りパスおよび下りパスの双方において、ある一定の品質を維持しつつ、現状のオペレーションに則した光パスの設定ができる方式について説明する。
【００８６】
＜光ネットワーク経路制御装置の構成＞
本実施形態に係る光ネットワーク経路制御装置は、図８に示すように、算出部２１１と、比較部２１２と、導出部２１３と、算出部２２１と、比較部２２２と、導出部２２３と、抽出部２３１とから構成されている。なお、第３の実施形態と同一の符号を付す構成要素については、同様の機能を有するものであることから、その詳細な説明については、省略する。
【００８７】
ここで、抽出部２３１は、導出部２１３の導出結果と導出部２２３の導出結果とから数１２を用いて、上りパスおよび下りパスにおいて、使用可能な共通の波長を抽出する。
【００８８】
【数１２】
2013016951.tif 000014
【００８９】
＜光ネットワーク経路制御装置の処理＞
図９を用いて、本実施形態に係る光ネットワーク経路制御装置の処理について、説明する。
【００９０】
まず、光回線の設定リクエスト（ソースノードＩＤとデスティネーションＩＤ）を制御装置へ入力する（ステップＳ４０１）。次に、Ｐｓｅｔがヌルであるか否かを検証する（ステップＳ４０２）。ここで、Ｐｓｅｔがヌルであれば（ステップＳ４０２の「ＹＥＳ」）、計算をストップし（ステップＳ４０３）、ヌルでなければステップＳ４０４に進む。なお、ここで、Ｐｓｅｔはソースとデスティネーション間でとりうるすべての経路を表す。
【００９１】
次に、Ｐｓｅｔの中からまず、ｓｈｏｒｔｅｓｔ  ｐａｔｈ の経路を選択する（ステップＳ４０４）。次いで、代表的な波長λｋのリンクＬｉ＿λｋ＿ＯＳＮＲ値を用いて計算式数１３および数１４によりＴｏｔａｌ＿λｋ＿ＯＳＮＲ（ＷＥ）値とＴｏｔａｌ＿λｋ＿ＯＳＮＲ（ＥＷ）値を算出する（ステップＳ４０５）。
【００９２】
【数１３】
2013016951.tif 000015
【００９３】
【数１４】
2013016951.tif 000016
【００９４】
その後、Ｔｏｔａｌ＿λｋ＿ＯＳＮＲ（ＷＥ）値とＴｏｔａｌ＿λｋ＿ＯＳＮＲ（ＥＷ）値とのそれぞれについて、トランスポンダの性能により決定される閾値以上であるか、否かを判断する（ステップＳ４０６）。判断の結果、Ｔｏｔａｌ＿λｋ＿ＯＳＮＲ（ＷＥ）値とＴｏｔａｌ＿λｋ＿ＯＳＮＲ（ＥＷ）値とのそれぞれについて、閾値以上ではない場合（ステップＳ４０６の「ＮＯ」）には、Ｐｓｅｔからこの経路を削除し（ステップＳ４０７）、Ａλｓｅｔから他の波長を選択して、ステップＳ４０２へ戻る。
【００９５】
一方、Ｔｏｔａｌ＿λｋ＿ＯＳＮＲ（ＷＥ）値とＴｏｔａｌ＿λｋ＿ＯＳＮＲ（ＥＷ）値とのそれぞれについて、閾値以上である場合（ステップＳ４０６の「ＹＥＳ」）には、この経路を選択する。そして、複数の波長について、上記の処理を行い、ＷＥ方向とＥＷ方向に共通な波長を抽出する（ステップＳ４０８）。さらに、ステップＳ４０１からステップＳ４０８の処理結果を基に、Ｅｘｐｌｉｃｉｔ  ｒｏｕｔｅ  ｏｂｊｅｃｔ（ＥＲＯ）や波長ラベルｓｕｂ  ｏｂｊｅｃｔなどを使用して、例えばＧＭＰＬＳ  ＲＳＶＰ−ＴＥシグナリングプロトコルを用いて双方向光回線を動的に設定する（ステップＳ４０９）。
【００９６】
以上、説明したように、本実施形態によれば、上り（ＷＥ）パスおよび下り（ＥＷ）パスにおいて、一定の光信号品質を担保する好適な複数の使用可能波長を導出することができ、しかも、上りパスおよび下りパスにおいて、複数の候補波長から使用可能波長を１つに共通化することができるため、現状の上り下り同じ波長を使用したオペレーションに則した光パス設定が可能となる。
【００９７】
なお、光ネットワーク経路制御装置の処理をコンピュータ読み取り可能な記録媒体に記録し、この記録媒体に記録されたプログラムを光ネットワーク経路制御装置に読み込ませ、実行することによって本発明の光ネットワーク経路制御装置を実現することができる。ここでいうコンピュータシステムとは、ＯＳや周辺装置等のハードウェアを含む。
【００９８】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されても良い。ここで、プログラムを伝送する「伝送媒体」は、インターネット等のネットワーク（通信網）や電話回線等の通信回線（通信線）のように情報を伝送する機能を有する媒体のことをいう。
【００９９】
また、上記プログラムは、前述した機能の一部を実現するためのものであっても良い。さらに、前述した機能をコンピュータシステムにすでに記録されているプログラムとの組合せで実現できるもの、いわゆる差分ファイル（差分プログラム）であっても良い。
【０１００】
以上、この発明の実施形態につき、図面を参照して詳述してきたが、具体的な構成はこの実施形態に限られるものではなく、この発明の要旨を逸脱しない範囲の設計等も含まれる。
【符号の説明】
【０１０１】
１００；光ネットワーク経路制御装置
１１１；算出部
１１２；比較部
１１３；導出部
１２１；算出部
１２２；比較部
１２３；導出部
１３１；抽出部
２１１；算出部
２１２；比較部
２１３；導出部
２２１；算出部
２２２；比較部
２２３；導出部
２３１；抽出部
【図２】
2013016951.tif 000043
【図３】
2013016951.tif 000044
【図４】
2013016951.tif 000045
【図５】
2013016951.tif 000046
【図６】
2013016951.tif 000047
【図７】
2013016951.tif 000048
【図８】
2013016951.tif 000049
【図９】
2013016951.tif 000050
【図１】
2013016951.tif 000051